【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、
を備え、
ここにおいて、前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
方法。
【請求項２】
前記固定されたオフセットは０に等しい、請求項１に記載の方法。
【請求項３】
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信することをさらに備える、請求項１に記載の方法。
【請求項４】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、請求項３に記載の方法。
【請求項５】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項３に記載の方法。
【請求項６】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、請求項５に記載の方法。
【請求項７】
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信することをさらに備える、請求項１に記載の方法。
【請求項８】
前記ワイヤレスノードはユーザ機器（ＵＥ）を備える、請求項１に記載の方法。
【請求項９】
前記第１のＯＦＤＭＡ通信信号および前記第２のＯＦＤＭＡ通信信号は、進化型ノードＢ（ｅＮＢ）から送信される、請求項１に記載の方法。
【請求項１０】
前記第１のＯＦＤＭＡ通信信号および前記第２のＯＦＤＭＡ通信信号の各々は、ロングタームエボリューション（ＬＴＥ）信号を備える、請求項１に記載の方法。
【請求項１１】
ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、
を備え、
ここにおいて、前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
装置。
【請求項１２】
前記固定されたオフセットは０に等しい、請求項１１に記載の装置。
【請求項１３】
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するための手段をさらに備える、請求項１１に記載の装置。
【請求項１４】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、請求項１３に記載の装置。
【請求項１５】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項１３に記載の装置。
【請求項１６】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、請求項１５に記載の装置。
【請求項１７】
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するための手段をさらに備える、請求項１１に記載の装置。
【請求項１８】
前記ワイヤレスノードはユーザ機器（ＵＥ）を備える、請求項１１に記載の装置。
【請求項１９】
前記第１のＯＦＤＭＡ通信信号および前記第２のＯＦＤＭＡ通信信号は、進化型ノードＢ（ｅＮＢ）から送信される、請求項１１に記載の装置。
【請求項２０】
前記第１のＯＦＤＭＡ通信信号および前記第２のＯＦＤＭＡ通信信号の各々は、ロングタームエボリューション（ＬＴＥ）信号を備える、請求項１１に記載の装置。
【請求項２１】
ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信し、
前記第１のＯＦＤＭＡ通信信号の前記送信と同時に、アンライセンススペクトラムにおいて第２のＯＦＤＭＡ通信信号を前記ワイヤレスノードに送信するように、前記プロセッサによって実行可能であり、
ここにおいて、前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
装置。
【請求項２２】
前記固定されたオフセットは０に等しい、請求項２１に記載の装置。
【請求項２３】
前記命令は、
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するように、前記プロセッサによって実行可能である、請求項２１に記載の装置。
【請求項２４】
前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、請求項２３に記載の装置。
【請求項２５】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項２３に記載の装置。
【請求項２６】
前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、請求項２５に記載の装置。
【請求項２７】
前記命令は、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するように、前記プロセッサによって実行可能である、請求項２１に記載の装置。
【請求項２８】
前記ワイヤレスノードはユーザ機器（ＵＥ）を備える、請求項２１に記載の装置。
【請求項２９】
前記第１のＯＦＤＭＡ通信信号および前記第２のＯＦＤＭＡ通信信号は、進化型ノードＢ（ｅＮＢ）から送信される、請求項２１に記載の装置。
【請求項３０】
前記第１のＯＦＤＭＡ通信信号および前記第２のＯＦＤＭＡ通信信号の各々は、ロングタームエボリューション（ＬＴＥ）信号を備える、請求項２１に記載の装置。
【請求項３１】
ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードへ送信させ、
前記第１のＯＦＤＭＡ通信信号の前記送信と同時に、アンライセンススペクトラムにおいて第２のＯＦＤＭＡ通信信号を前記ワイヤレスノードへ送信させるように、
プロセッサによって実行可能な命令を記憶した、非一時的コンピュータ可読媒体を備え、
ここにおいて、前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
コンピュータプログラム製品。
【請求項３２】
前記固定されたオフセットは０に等しい、請求項３１に記載のコンピュータプログラム製品。
【請求項３３】
前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信させ、前記アンライセンススペクトラムにおいて前記ワイヤレスノードから第２のＳＣ−ＦＤＭＡ通信信号を受信させるように、前記プロセッサによって実行可能である、請求項３１に記載のコンピュータプログラム製品。
【請求項３４】
前記ワイヤレスノードはユーザ機器（ＵＥ）を備える、請求項３１に記載のコンピュータプログラム製品。
【請求項３５】
ワイヤレス通信のための方法であって、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、
を備え、
ここにおいて、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
方法。
【請求項３６】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信することをさらに備える、請求項３５に記載の方法。
【請求項３７】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、請求項３６に記載の方法。
【請求項３８】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項３６に記載の方法。
【請求項３９】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、請求項３８に記載の方法。
【請求項４０】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信することをさらに備える、請求項３５に記載の方法。
【請求項４１】
前記ワイヤレスノードは進化型ノードＢ（ｅＮＢ）を備える、請求項３５に記載の方法。
【請求項４２】
前記第１のＯＦＤＭＡ通信信号および前記第２のＯＦＤＭＡ通信信号は、ユーザ機器（ＵＥ）において受信される、請求項３５に記載の方法。
【請求項４３】
前記第１のＯＦＤＭＡ通信信号および前記第２のＯＦＤＭＡ通信信号の各々は、ロングタームエボリューション（ＬＴＥ）信号を備える、請求項３５に記載の方法。
【請求項４４】
ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、
を備え、
ここにおいて、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
装置。
【請求項４５】
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するための手段をさらに備える、請求項４４に記載の装置。
【請求項４６】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、請求項４５に記載の装置。
【請求項４７】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項４５に記載の装置。
【請求項４８】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、請求項４７に記載の装置。
【請求項４９】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するための手段をさらに備える、請求項４４に記載の装置。
【請求項５０】
前記ワイヤレスノードは進化型ノードＢ（ｅＮＢ）を備える、請求項４４に記載の装置。
【請求項５１】
前記第１のＯＦＤＭＡ通信信号および前記第２のＯＦＤＭＡ通信信号は、ユーザ機器（ＵＥ）において受信される、請求項４４に記載の装置。
【請求項５２】
前記第１のＯＦＤＭＡ通信信号および前記第２のＯＦＤＭＡ通信信号の各々はＬＴＥ信号を備える、請求項４４に記載の装置。
【請求項５３】
ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信し、
前記第１のＯＦＤＭＡ通信信号の前記受信と同時に、アンライセンススペクトラムにおいて第２のＯＦＤＭＡ通信信号を前記ワイヤレスノードから受信するように、
前記プロセッサによって実行可能であり、
ここにおいて、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
装置。
【請求項５４】
前記命令は、
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するように、前記プロセッサによって実行可能である、請求項５３に記載の装置。
【請求項５５】
前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、請求項５４に記載の装置。
【請求項５６】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項５４に記載の装置。
【請求項５７】
前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、請求項５６に記載の装置。
【請求項５８】
前記命令は、
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するように、前記プロセッサによって実行可能である、請求項５３に記載の装置。
【請求項５９】
前記ワイヤレスノードは進化型ノードＢ（ｅＮＢ）を備える、請求項５３に記載の装置。
【請求項６０】
前記第１のＯＦＤＭＡ通信信号および前記第２のＯＦＤＭＡ通信信号は、ユーザ機器（ＵＥ）において受信される、請求項５３に記載の装置。
【請求項６１】
前記第１のＯＦＤＭＡ通信信号および前記第２のＯＦＤＭＡ通信信号の各々はＬＴＥ信号を備える、請求項５３に記載の装置。
【請求項６２】
ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードから受信させ、
前記第１のＯＦＤＭＡ通信信号の前記受信と同時に、アンライセンススペクトラムにおいて第２のＯＦＤＭＡ通信信号を前記ワイヤレスノードから受信させるように、
プロセッサによって実行可能な命令を記憶した、非一時的コンピュータ可読媒体を備え、
ここにおいて、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、
コンピュータプログラム製品。
【請求項６３】
前記命令は、前記ワイヤレス通信装置に、
前記第１のＯＦＤＭＡ通信信号および前記第２のＯＦＤＭＡ通信信号の前記受信と同時に、ライセンススペクトラムにおいて前記ワイヤレスノードへ第１のＳＣ−ＦＤＭＡ通信信号を送信させるように、前記プロセッサによって実行可能である、請求項６２に記載のコンピュータプログラム製品。
【請求項６４】
前記命令は、前記ワイヤレス通信装置に、
前記第１のＯＦＤＭＡ通信信号および前記第２のＯＦＤＭＡ通信信号の前記受信と同時に、前記アンライセンススペクトラムにおいて前記ワイヤレスノードへ第２のＳＣ−ＦＤＭＡ通信信号を送信させるように、前記プロセッサによって実行可能である、請求項６３に記載のコンピュータプログラム製品。
【請求項６５】
前記ワイヤレスノードは進化型ノードＢ（ｅＮＢ）を備える、請求項６２に記載のコンピュータプログラム製品。
【手続補正２】
【補正対象書類名】明細書
【補正対象項目名】０２９８
【補正方法】変更
【補正の内容】
【０２９８】
[0353]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
[Ｃ１]  ワイヤレス通信のための方法であって、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、
を備える方法。
[Ｃ２]  前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ１に記載の方法。
[Ｃ３]  前記固定されたオフセットは０に等しい、Ｃ２に記載の方法。
[Ｃ４]  前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信することをさらに備える、Ｃ１に記載の方法。
[Ｃ５]  前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、Ｃ４に記載の方法。
[Ｃ６]  前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ４に記載の方法。
[Ｃ７]  前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、Ｃ６に記載の方法。
[Ｃ８]  前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信することをさらに備える、Ｃ１に記載の方法。
[Ｃ９]  前記ワイヤレスノードはユーザ機器（ＵＥ）を備える、Ｃ１に記載の方法。
[Ｃ１０]  前記第１のＯＦＤＭＡ通信信号および前記第２のＯＦＤＭＡ通信信号は、進化型ノードＢ（ｅＮＢ）から送信される、Ｃ１に記載の方法。
[Ｃ１１]  前記第１のＯＦＤＭＡ通信信号および前記第２のＯＦＤＭＡ通信信号の各々は、ロングタームエボリューション（ＬＴＥ）信号を備える、Ｃ１に記載の方法。
[Ｃ１２]  ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、
を備える装置。
[Ｃ１３]  前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ１２に記載の装置。
[Ｃ１４]  前記固定されたオフセットは０に等しい、Ｃ１３に記載の装置。
[Ｃ１５]  前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するための手段をさらに備える、Ｃ１２に記載の装置。
[Ｃ１６]  前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、Ｃ１５に記載の装置。
[Ｃ１７]  前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ１５に記載の装置。
[Ｃ１８]  前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、Ｃ１７に記載の装置。
[Ｃ１９]  前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するための手段をさらに備える、Ｃ１２に記載の装置。
[Ｃ２０]  前記ワイヤレスノードはユーザ機器（ＵＥ）を備える、Ｃ１２に記載の装置。
[Ｃ２１]  前記第１のＯＦＤＭＡ通信信号および前記第２のＯＦＤＭＡ通信信号は、進化型ノードＢ（ｅＮＢ）から送信される、Ｃ１２に記載の装置。
[Ｃ２２]  前記第１のＯＦＤＭＡ通信信号および前記第２のＯＦＤＭＡ通信信号の各々は、ロングタームエボリューション（ＬＴＥ）信号を備える、Ｃ１２に記載の装置。
[Ｃ２３]  ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信し、
前記第１のＯＦＤＭＡ通信信号の前記送信と同時に、アンライセンススペクトラムにおいて第２のＯＦＤＭＡ通信信号を前記ワイヤレスノードに送信するように、前記プロセッサによって実行可能である、装置。
[Ｃ２４]  前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ２３に記載の装置。
[Ｃ２５]  前記固定されたオフセットは０に等しい、Ｃ２４に記載の装置。
[Ｃ２６]  前記命令は、
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するように、前記プロセッサによって実行可能である、Ｃ２３に記載の装置。
[Ｃ２７]  前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、Ｃ２６に記載の装置。
[Ｃ２８]  前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ２６に記載の装置。
[Ｃ２９]  前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、Ｃ２８に記載の装置。
[Ｃ３０]  前記命令は、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するように、前記プロセッサによって実行可能である、Ｃ２３に記載の装置。
[Ｃ３１]  前記ワイヤレスノードはユーザ機器（ＵＥ）を備える、Ｃ２３に記載の装置。
[Ｃ３２]  前記第１のＯＦＤＭＡ通信信号および前記第２のＯＦＤＭＡ通信信号は、進化型ノードＢ（ｅＮＢ）から送信される、Ｃ２３に記載の装置。
[Ｃ３３]  前記第１のＯＦＤＭＡ通信信号および前記第２のＯＦＤＭＡ通信信号の各々は、ロングタームエボリューション（ＬＴＥ）信号を備える、Ｃ２３に記載の装置。
[Ｃ３４]  ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードへ送信させ、
前記第１のＯＦＤＭＡ通信信号の前記送信と同時に、アンライセンススペクトラムにおいて第２のＯＦＤＭＡ通信信号を前記ワイヤレスノードへ送信させるように、
プロセッサによって実行可能な命令を記憶した、非一時的コンピュータ可読媒体を備える、コンピュータプログラム製品。
[Ｃ３５]  前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期する、Ｃ３４に記載のコンピュータプログラム製品。
[Ｃ３６]  前記固定されたオフセットは０に等しい、Ｃ３５に記載のコンピュータプログラム製品。
[Ｃ３７]  前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信させ、前記アンライセンススペクトラムにおいて前記ワイヤレスノードから第２のＳＣ−ＦＤＭＡ通信信号を受信させるように、前記プロセッサによって実行可能である、Ｃ３４に記載のコンピュータプログラム製品。
[Ｃ３８]  前記ワイヤレスノードはユーザ機器（ＵＥ）を備える、Ｃ３４に記載のコンピュータプログラム製品。
[Ｃ３９]  ワイヤレス通信のための方法であって、
ライセンススペクトラムにおいて第１のＳＣ−ＦＤＭＡ通信信号をワイヤレスノードから受信することと、
前記第１のＳＣ−ＦＤＭＡ通信信号の前記受信と同時に、アンライセンススペクトラムにおいて第２のＳＣ−ＦＤＭＡ信号を前記ワイヤレスノードから受信することと、
を備える方法。
[Ｃ４０]  前記ワイヤレスノードはユーザ機器（ＵＥ）を備える、Ｃ３９に記載の方法。
[Ｃ４１]  前記第１のＳＣ−ＦＤＭＡ通信信号および前記第２のＳＣ−ＦＤＭＡ通信信号は、進化型ノードＢ（ｅＮＢ）において受信される、Ｃ３９に記載の方法。
[Ｃ４２]  前記第１のＳＣ−ＦＤＭＡ通信信号および前記第２のＳＣ−ＦＤＭＡ通信信号の各々は、ロングタームエボリューション（ＬＴＥ）信号を備える、Ｃ３９に記載の方法。
[Ｃ４３]  ワイヤレス通信のための装置であって、
ライセンススペクトラムにおいて第１のＳＣ−ＦＤＭＡ通信信号をワイヤレスノードから受信するための手段と、
前記第１のＳＣ−ＦＤＭＡ通信信号の前記受信と同時に、アンライセンススペクトラムにおいて第２のＳＣ−ＦＤＭＡ信号を前記ワイヤレスノードから受信するための手段と、
を備える装置。
[Ｃ４４]  前記ワイヤレスノードはユーザ機器（ＵＥ）を備える、Ｃ４３に記載の装置。
[Ｃ４５]  前記第１のＳＣ−ＦＤＭＡ通信信号および前記第２のＳＣ−ＦＤＭＡ通信信号は、進化型ノードＢ（ｅＮＢ）において受信される、Ｃ４３に記載の方法。
[Ｃ４６]  前記第１のＳＣ−ＦＤＭＡ通信信号および前記第２のＳＣ−ＦＤＭＡ通信信号の各々は、ロングタームエボリューション（ＬＴＥ）信号を備える、Ｃ４３に記載の装置。
[Ｃ４７]  ワイヤレス通信のための装置であって、
プロセッサと、
前記プロセッサと電気的に通信しているメモリと、
前記メモリに記憶された命令と、を備え、前記命令は、
ライセンススペクトラムにおいて第１のＳＣ−ＦＤＭＡ通信信号をワイヤレスノードから受信し、
前記第１のＳＣ−ＦＤＭＡ通信信号の前記受信と同時に、アンライセンススペクトラムにおいて第２のＳＣ−ＦＤＭＡ信号を前記ワイヤレスノードから受信するように、
前記プロセッサによって実行可能である、装置。
[Ｃ４８]  前記ワイヤレスノードはユーザ機器（ＵＥ）を備える、Ｃ４７に記載の装置。
[Ｃ４９]  前記第１のＳＣ−ＦＤＭＡ通信信号および前記第２のＳＣ−ＦＤＭＡ通信信号は、進化型ノードＢ（ｅＮＢ）において受信される、Ｃ４７に記載の装置。
[Ｃ５０]  前記第１のＳＣ−ＦＤＭＡ通信信号および前記第２のＳＣ−ＦＤＭＡ通信信号の各々は、ロングタームエボリューション（ＬＴＥ）信号を備える、Ｃ４７に記載の装置。
[Ｃ５１]  ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードから受信させ、
前記第１のＳＣ−ＦＤＭＡ通信信号の前記受信と同時に、アンライセンススペクトラムにおいて第２のＳＣ−ＦＤＭＡ信号を前記ワイヤレスノードから受信させるように、
プロセッサによって実行可能である命令を記憶した、非一時的コンピュータ可読媒体を備える、コンピュータプログラム製品。
[Ｃ５２]  前記ワイヤレスノードはユーザ機器（ＵＥ）を備える、Ｃ５１に記載のコンピュータプログラム製品。
[Ｃ５３]  ワイヤレス通信のための方法であって、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、
を備える方法。
[Ｃ５４]  前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信することをさらに備える、Ｃ５３に記載の方法。
[Ｃ５５]  前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、Ｃ５４に記載の方法。
[Ｃ５６]  前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ５４に記載の方法。
[Ｃ５７]  前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、Ｃ５６に記載の方法。
[Ｃ５８]  前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信することをさらに備える、Ｃ５３に記載の方法。
[Ｃ５９]  前記ワイヤレスノードは進化型ノードＢ（ｅＮＢ）を備える、Ｃ５３に記載の方法。
[Ｃ６０]  前記第１のＯＦＤＭＡ通信信号および前記第２のＯＦＤＭＡ通信信号は、ユーザ機器（ＵＥ）において受信される、Ｃ５３に記載の方法。
[Ｃ６１]  前記第１のＯＦＤＭＡ通信信号および前記第２のＯＦＤＭＡ通信信号の各々は、ロングタームエボリューション（ＬＴＥ）信号を備える、Ｃ５３に記載の方法。
[Ｃ６２]  ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、
を備える装置。
[Ｃ６３]  前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するための手段をさらに備える、Ｃ６２に記載の装置。
[Ｃ６４]  前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、Ｃ６３に記載の装置。
[Ｃ６５]  前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ６３に記載の装置。
[Ｃ６６]  前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、Ｃ６５に記載の装置。
[Ｃ６７]  前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するための手段をさらに備える、Ｃ６２に記載の装置。
[Ｃ６８]  前記ワイヤレスノードは進化型ノードＢ（ｅＮＢ）を備える、Ｃ６２に記載の装置。
[Ｃ６９]  前記第１のＯＦＤＭＡ通信信号および前記第２のＯＦＤＭＡ通信信号は、ユーザ機器（ＵＥ）において受信される、Ｃ６２に記載の装置。
[Ｃ７０]  前記第１のＯＦＤＭＡ通信信号および前記第２のＯＦＤＭＡ通信信号の各々はＬＴＥ信号を備える、Ｃ６２に記載の装置。
[Ｃ７１]  ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信し、
前記第１のＯＦＤＭＡ通信信号の前記受信と同時に、アンライセンススペクトラムにおいて第２のＯＦＤＭＡ通信信号を前記ワイヤレスノードから受信するように、
前記プロセッサによって実行可能である、装置。
[Ｃ７２]  前記命令は、
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するように、前記プロセッサによって実行可能である、Ｃ７１に記載の装置。
[Ｃ７３]  前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、Ｃ７２に記載の装置。
[Ｃ７４]  前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ７２に記載の装置。
[Ｃ７５]  前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、Ｃ７４に記載の装置。
[Ｃ７６]  前記命令は、
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するように、前記プロセッサによって実行可能である、Ｃ７１に記載の装置。
[Ｃ７７]  前記ワイヤレスノードは進化型ノードＢ（ｅＮＢ）を備える、Ｃ７１に記載の装置。
[Ｃ７８]  前記第１のＯＦＤＭＡ通信信号および前記第２のＯＦＤＭＡ通信信号は、ユーザ機器（ＵＥ）において受信される、Ｃ７１に記載の装置。
[Ｃ７９]  前記第１のＯＦＤＭＡ通信信号および前記第２のＯＦＤＭＡ通信信号の各々はＬＴＥ信号を備える、Ｃ７１に記載の装置。
[Ｃ８０]  ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードから受信させ、
前記第１のＯＦＤＭＡ通信信号の前記受信と同時に、アンライセンススペクトラムにおいて第２のＯＦＤＭＡ通信信号を前記ワイヤレスノードから受信させるように、
プロセッサによって実行可能な命令を記憶した、非一時的コンピュータ可読媒体を備える、コンピュータプログラム製品。
[Ｃ８１]  前記命令は、前記ワイヤレス通信装置に、
前記第１のＯＦＤＭＡ通信信号および前記第２のＯＦＤＭＡ通信信号の前記受信と同時に、ライセンススペクトラムにおいて前記ワイヤレスノードへ第１のＳＣ−ＦＤＭＡ通信信号を送信させるように、前記プロセッサによって実行可能である、Ｃ８０に記載のコンピュータプログラム製品。
[Ｃ８２]  前記命令は、前記ワイヤレス通信装置に、
前記第１のＯＦＤＭＡ通信信号および前記第２のＯＦＤＭＡ通信信号の前記受信と同時に、前記アンライセンススペクトラムにおいて前記ワイヤレスノードへ第２のＳＣ−ＦＤＭＡ通信信号を送信させるように、前記プロセッサによって実行可能である、Ｃ８１に記載のコンピュータプログラム製品。
[Ｃ８３]  前記ワイヤレスノードは進化型ノードＢ（ｅＮＢ）を備える、Ｃ８０に記載のコンピュータプログラム製品。
[Ｃ８４]  ワイヤレス通信のための方法であって、
ライセンススペクトラムにおいて第１のＳＣ−ＦＤＭＡ通信信号をワイヤレスノードに送信することと、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信することと、
を備える方法。
[Ｃ８５]  前記ワイヤレスノードは進化型ノードＢ（ｅＮＢ）を備える、Ｃ８４に記載の方法。
[Ｃ８６]  前記第１のＯＦＤＭＡ通信信号および前記第２のＯＦＤＭＡ通信信号は、ユーザ機器（ＵＥ）において受信される、Ｃ８４に記載の方法。
[Ｃ８７]  前記第１のＳＣ−ＦＤＭＡ通信信号および前記第２のＳＣ−ＦＤＭＡ通信信号の各々は、ロングタームエボリューション（ＬＴＥ）信号を備える、Ｃ８４に記載の方法。
[Ｃ８８]  ワイヤレス通信のための装置であって、
ライセンススペクトラムにおいて第１のＳＣ−ＦＤＭＡ通信信号をワイヤレスノードに送信するための手段と、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するための手段と、
を備える装置。
[Ｃ８９]  前記ワイヤレスノードは進化型ノードＢ（ｅＮＢ）を備える、Ｃ８８に記載の装置。
[Ｃ９０]  前記第１のＳＣ−ＦＤＭＡ通信信号および前記第２のＳＣ−ＦＤＭＡ通信信号は、ユーザ機器（ＵＥ）から送信される、Ｃ８８に記載の装置。
[Ｃ９１]  前記第１のＳＣ−ＦＤＭＡ通信信号および前記第２のＳＣ−ＦＤＭＡ通信信号の各々は、ロングタームエボリューション（ＬＴＥ）信号を備える、Ｃ８８に記載の装置。
[Ｃ９２]  ワイヤレス通信のための装置であって、
プロセッサと、
前記プロセッサと電気的に通信しているメモリと、
前記メモリに記憶された命令と、
を備え、前記命令は、
ライセンススペクトラムにおいて第１のＳＣ−ＦＤＭＡ通信信号をワイヤレスノードに送信し、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するように、
前記プロセッサによって実行可能である、装置。
[Ｃ９３]  前記ワイヤレスノードは進化型ノードＢ（ｅＮＢ）を備える、Ｃ９２に記載の装置。
[Ｃ９４]  前記第１のＳＣ−ＦＤＭＡ通信信号および前記第２のＳＣ−ＦＤＭＡ通信信号は、ユーザ機器（ＵＥ）から送信される、Ｃ９２に記載の装置。
[Ｃ９５]  前記第１のＳＣ−ＦＤＭＡ通信信号および前記第２のＳＣ−ＦＤＭＡ通信信号の各々は、ロングタームエボリューション（ＬＴＥ）信号を備える、Ｃ９２に記載の装置。
[Ｃ９６]  ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードへ送信させ、
前記第１のＳＣ−ＦＤＭＡ通信信号の前記送信と同時に、アンライセンススペクトラムにおいて第２のＳＣ−ＦＤＭＡ通信信号を前記ワイヤレスノードへ送信させるように、
プロセッサによって実行可能な命令を記憶した、非一時的コンピュータ可読媒体を備える、コンピュータプログラム製品。
[Ｃ９７]  前記ワイヤレスノードは進化型ノードＢ（ｅＮＢ）を備える、Ｃ９６に記載のコンピュータプログラム製品。
[Ｃ９８]  ワイヤレス通信のための方法であって、
アンライセンススペクトラムにおけるダウンリンクのための周期的なゲーティング間隔を生成することと、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させることと、
を備える方法。
[Ｃ９９]  前記ＰＣＣはライセンススペクトラム中の搬送波を備える、Ｃ９８に記載の方法。
[Ｃ１００]  前記周期的なゲーティング間隔はリッスンビフォアトーク（ＬＢＴ）フレームを備え、前記周期的なフレーム構造はロングタームエボリューション（ＬＴＥ）無線フレームを備える、Ｃ９８に記載の方法。
[Ｃ１０１]  前記周期的なゲーティング間隔の継続時間は、前記周期的なフレーム構造の継続時間の整数倍である、Ｃ９８に記載の方法。
[Ｃ１０２]  前記周期的なゲーティング間隔の継続時間は、前記周期的なフレーム構造の継続時間の約数である、Ｃ９８に記載の方法。
[Ｃ１０３]  前記ダウンリンクはロングタームエボリューション（ＬＴＥ）信号を搬送する、Ｃ９８に記載の方法。
[Ｃ１０４]  ワイヤレス通信のための装置であって、
アンライセンススペクトラムにおけるダウンリンクのための周期的なゲーティング間隔を生成するための手段と、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させるための手段と、
を備える装置。
[Ｃ１０５]  前記ＰＣＣはライセンススペクトラム中の搬送波を備える、Ｃ１０４に記載の装置。
[Ｃ１０６]  前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１０４に記載の装置。
[Ｃ１０７]  前記周期的なゲーティング間隔の継続時間は、前記周期的なフレーム構造の継続時間の整数倍である、Ｃ１０４に記載の装置。
[Ｃ１０８]  前記周期的なゲーティング間隔の継続時間は、前記周期的なフレーム構造の継続時間の約数である、Ｃ１０４に記載の装置。
[Ｃ１０９]  前記ダウンリンクはロングタームエボリューション（ＬＴＥ）信号を搬送する、Ｃ１０４に記載の装置。
[Ｃ１１０]  ワイヤレス通信のための装置であって、
プロセッサと、
前記プロセッサと電気的に通信しているメモリと、
前記メモリに記憶された命令と、
を備え、前記命令は、
アンライセンススペクトラムにおけるダウンリンクのための周期的なゲーティング間隔を生成し、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、前記プロセッサによって実行可能である、装置。
[Ｃ１１１]  前記ＰＣＣはライセンススペクトラム中の搬送波を備える、Ｃ１１０に記載の装置。
[Ｃ１１２]  前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１１０に記載の装置。
[Ｃ１１３]  前記周期的なゲーティング間隔の継続時間は、前記周期的なフレーム構造の継続時間の整数倍である、Ｃ１１０に記載の装置。
[Ｃ１１４]  前記周期的なゲーティング間隔の継続時間は、前記周期的なフレーム構造の継続時間の約数である、Ｃ１１０に記載の装置。
[Ｃ１１５]  前記ダウンリンクはロングタームエボリューション（ＬＴＥ）信号を搬送する、Ｃ１１０に記載の装置。
[Ｃ１１６]  ワイヤレス通信システムにおけるワイヤレス通信装置による通信のためのコンピュータプログラム製品であって、前記ワイヤレス通信装置に、
アンライセンススペクトラムにおけるダウンリンクのための周期的なゲーティング間隔を生成させ、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、
プロセッサによって実行可能な命令を記憶した、非一時的コンピュータ可読媒体を備える、コンピュータプログラム製品。
[Ｃ１１７]  前記ＰＣＣはライセンススペクトラム中の搬送波を備える、Ｃ１１６に記載のコンピュータプログラム製品。
[Ｃ１１８]  前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１１６に記載のコンピュータプログラム製品。